【事件の表示】
　特許第３０３２０９１号「通気性粘着層の製造方法、粘着シート及び通気性素材」の請求項１ないし３に係る特許に対する特許異議の申立てについて、次のとおり決定する。
【結　論】
　訂正を認める。
　特許第３０３２０９１号の請求項１ないし３に係る特許を維持する。
【理　由】
（Ｉ）手続きの経緯
　本件特許第３０３２０９１号の請求項１〜３に係る発明は、平成４年９月２５日に特許出願され、平成１２年２月１０日に特許権の設定登録がなされたところ、該請求項１〜３に係る発明の特許について、ニチバン株式会社（以下、申立人という。）から、特許異議の申立てがなされ、取消理由の通知がなされ、その指定期間内である平成１３年４月９日に訂正請求がなされ、訂正拒絶理由の通知がなされ、前記訂正請求書の補正がなされ、再度の取消理由の通知がなされ、その指定期間内である平成１５年７月４日に前記訂正請求の取り下げと共に新たな訂正請求がなされたものである。
　
（ＩＩ）訂正請求について
（ＩＩ−１）訂正事項
　請求項１の「粘着性物質」を「、スチレン系エラストマーを主成分とし、更にタッキファイヤー、軟化剤を含有する粘着性物質」と訂正する。
　
（ＩＩ−２）訂正の適否
　前記訂正事項に係る訂正は、発明の詳細な説明の段落【００１３】、【００１４】および【００１９】の記載に基いて、訂正前の請求項１の「粘着性物質」を限定したものであり、特許請求の範囲の減縮に該当し、願書に添付した明細書に記載した事項の範囲内のものであり、実質上特許請求の範囲を拡張、又は変更するものではない。
　
（ＩＩ−３）訂正のむすび
　したがって、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書及び同条第２項の規定に適合するので、当該訂正を認める。
　
（ＩＩＩ）特許異議申立について
（ＩＩＩ−１）本件発明
　本件の請求項１〜３に係る発明（以下、「本件発明１〜３」という。）は、前記訂正後の特許請求の範囲の請求項１〜３に記載された次のとおりのものである。
「【請求項１】メルトブロー方式で、スチレン系エラストマーを主成分とし、更にタッキファイヤー、軟化剤を含有する粘着性物質を繊維化して０．１ｃｃ／ｃｍ２／秒以上の通気度を有する多孔性の粘着層を形成することを特徴とする通気性粘着層の製造方法。
【請求項２】請求項１に記載の通気性粘着層を支持基材の片面又は両面に有することを特徴とする粘着シート。
【請求項３】多孔性基材の片面又は両面に請求項１に記載の通気性粘着層を有することを特徴とする通気性素材。」
　
（ＩＩＩ−２）特許異議申立の理由
　申立人は、（あ）訂正前の請求項１〜３に係る発明は、甲第２号証の結果を考慮すれば、甲第１号証に記載された発明であり、（い）訂正前の請求項１〜３に係る発明は、甲第１号証および甲第３、４又は５号証に記載された発明に基づいて当業者が容易に発明をすることができたものであり、（う）訂正前の請求項１に係る発明は、甲第６〜８号証に記載の技術常識を考慮すると、甲第３号証に記載された発明であるか、同発明に基づいて当業者が容易に発明をすることができたものである、との理由により、特許を受けることができないものである旨を主張する。
　甲第１号証（ＷＯ９２／０７１２１号明細書）
　甲第２号証（試験成績証明書）
　甲第３号証（特公平１−４８０１９号公報）
　甲第４号証（特公昭５０−４４９３号公報）
　甲第５号証（特開平４−１８９３５４号公報）
　甲第６号証（特開昭６０−９９０５７号公報）
　甲第７号証（特公昭５９−３０８２６号公報）
　甲第８号証（特開平２−２８９１０７号公報）
　
（ＩＩＩ−３）甲各号証の記載
　甲第１号証（ＷＯ９２／０７１２１号明細書）：
「メルトブロー法に関し、殊に改良されたメルトブロー・ダイに関する。・・・本発明は、
接着剤
をおむつフィルムに張り付ける方法
「以下に詳細に述べるように、溶融重合体は、本体１１に送られ、ダイチップ１３にあるオリフィスを通して押し出されて、フィラメント（または繊維）を形成する。フィラメント１８の列の両側に高温空気が送られて、フィラメントを引き伸ばして、細くする。フィラメント１８は、適当な基盤１９、または回転スクリーン、コンベヤのようなコレクタ上に、沈積される。・・・。
接着性重合体をメルトブローする
基盤１９上の接着剤層
「前記のように、接着剤、吹付け被膜樹脂、および織布形成樹脂をメルトブローするのに、ダイ組立体を使用することができる。接着剤は、ＥＶＡ（例えば、２０〜４０重量％ＶＡ）を含む。これらの重合体は一般に、メルトブローされる織布に使用されるものよりも、粘性が低い。使用可能の従来の高温溶融接着剤は、米国特許第４，４９７，９４１号、第４，３２５，８５３号、および第４，３１５，８４２号に開示されるものを含み、これらの開示は引用により、本明細書に取り入れられる。上記の溶融接着剤は単に説明だけのためのものであり、他の溶融接着剤も使用できる。」（１４頁第１〜９行）
「おむつパックシートに、図４に示すパターンに、接着剤を塗るのに、９個のユニットを含む。実験に使用された接着剤は感圧接着剤であった。図１および図３で良く判るように、おむつパックシート（基盤１９）は、コンベヤローラーの上に送られ、ダイ組立体１０の下方を通過する。組立体は、重合体温度３００°Ｆ（１４９℃）と、空気温度３２５°Ｆ（１６３℃）で運転された。様々なユニットの断続運転により、図４の接着剤パターンが得られる。」（１４頁３４行〜１５頁５行）
「このダイ組立体は、１分間当たり、４００枚のおむつを製作した。おむつシートは、接着剤に張り付けられる。」（１５頁第１６〜１７行）
　
甲第２号証（試験成績証明書）
　試験した粘着層は、実験条件により変動するものの、いずれも０．１ｃｃ／ｃｍ２／秒以上の通気度を有すること。
　
甲第３号証（特公平１−４８０１９号公報）
　ポリウレタン弾性繊維不織布の片面に多数の細孔を有し皮膚に対する非刺激性の感圧接着剤を付与してなる医用感圧接着性シート（接着性包帯、ばん創こう、外科用皮膚被覆材、皮膚粘付材等に用いるシート或いはテープ）（１欄１〜９、２０〜２３行参照）
　感圧接着剤としては、アクリル酸エステル重合体系、ポリビニルアルキルエーテル系、天然ゴムー樹脂系、ポリイソブチレン系などのものを適宜使用することができ、その塗布方法としては、ナイフコート法やロールコート法あるいはロールプリント法等の手段を用いることができること（５欄２８〜３３、４０〜４３行参照）
　接着剤の分散液を起泡し不織布の片面にナイフコーターにより塗布して得られる粘着シートの通気性は３５０ｃｃ／ｃｍ２／ｓｅｃ以上こと（７欄１３〜１７行参照）。
　
甲第４号証（特公昭５０−４９９３号公報）
感圧接着性を有するエラストマーをエマルジョン状態において起泡させ多孔性不織布の一方表面に塗布し乾燥し、多数の微細な貫通孔と独立気泡とを有する感圧接着剤層の形成された接着繃帯を製造すること（１欄２８〜３６行参照）
実施例における接着繃帯が１．８又は２．１ｃｃ／ｃｍ２／秒の通気度を示すこと（５欄１５〜１７行、６欄１３〜１８行参照）。
　
甲第５号証（特開平４−１８９３５４号公報）
剥離シートの上に粘着剤溶液層を塗布により形成し、当該層が未乾燥状態にある間にその表面に水滴を散布し、乾燥し、水滴部分に微細通気孔を形成し、その後、乾燥状態の粘着剤層を通気性素材に積層し、通気性粘着テープもしくはシートを製造すること（特許請求の範囲および３頁右上欄１８〜１９行参照）
、３００ｃｃの空気が６．４５ｃｍ２の孔を通過する時間は実施例において０．４秒であり、比較例でにおいては５秒であったこと（４頁上欄の実施例、比較例の項参照）。
　
甲第６号証（特開昭６０−９９０５７号公報）
　ポリエチレンテレフタレートのような第１の高分子材料とポロプロピレンのような第２の高分子材料とからファイバーブローイングにより繊維ウェブを形成すること、および得られるウェブは改善された濾過特性を示すこと（特許請求の範囲、２頁左下欄１３〜１９行、３頁右下欄１〜３行参照）。
　
甲第７号証（特公昭５９−３０８２６号公報）
変性ポリオレフィン等の高分子重合体を紡糸孔より押出し、高速の加熱基体流を押出線状体に吹き当てることにより形成される微細繊度の熱融着可能な繊維シートを、通気性繊維シート上に集積付着せしめることからなる芯地用繊維シートの製造方法（特許請求の範囲及び３欄２８〜３４行）。
　
甲第８号証（特開平２−２８９１０７号公報）
ポリオレフィン、ポリアミド等の熱可塑性ポリマーの複合メルトブローンを実施するメルトブローン紡糸装置、および、かかる装置により各種の不織布を製造し得ること（特許請求の範囲第１項、４頁右下欄最下行〜５頁４行参照）。
　
（ＩＩＩ−４）特許異議申立の理由の検討
　本件発明１〜３は、いづれも、「メルトブロー方式で、スチレン系エラストマーを主成分とし、更にタッキファイヤー、軟化剤を含有する粘着性物質を繊維化して０．１ｃｃ／ｃｍ２／秒以上の通気度を有する多孔性の粘着層を形成する」という構成を採用することにより、明細書に記載されたとおりの、通気性と接着力のバランスに優れ、クッション性、微臭性に優れるという効果を奏するものである。
　これに対して、甲第１号証には、接着剤をメルトブロー方式で繊維化しておむつフィルムなどの基盤の上に接着剤層として形成すること、および、当該接着剤としては、ＥＶＡや米国特許第４，４９７，９４１号、第４，３２５，８５３号、および第４，３１５，８４２号などに開示される溶融接着剤が適用可能であることが記載されているものの、前記接着剤として「スチレン系エラストマーを主成分とし、更にタッキファイヤー、軟化剤を含有する粘着性物質」が使用できることは示されておらず、得られる接着剤層が０．１以上の通気度を有することを示唆する記載はない。また、甲第２号証の試験結果は、甲第１号証に記載のない粘着剤を用いて作成した接着剤層の通気度を測定したものであるから、甲第２号証の記載を考慮しても、甲第１号証に記載された接着剤層が０．１以上の通気度を有するとすることはできず、（あ）の理由は採用できない。
　甲第３〜５号証には、通気度についての記載があるものの、メルトブローによりシートを製造することについても、「スチレン系エラストマーを主成分とし、更にタッキファイヤー、軟化剤を含有する粘着性物質」を接着性物質として用いることについても記載も示唆もなく、前記「スチレン系エラストマーを主成分とし、更にタッキファイヤー、軟化剤を含有する粘着性物質」を甲第１号証に記載の接着性物質とした場合にどの程度の通気度を示すのかについて示唆するところもがないから、甲第１号証および甲第３、４又は５号証に記載された発明を総合しても、本件発明１〜３の「メルトブロー方式で、スチレン系エラストマーを主成分とし、更にタッキファイヤー、軟化剤を含有する粘着性物質を繊維化して０．１ｃｃ／ｃｍ２／秒以上の通気度を有する多孔性の粘着層を形成する」という構成が当業者に容易に想到することができたものであるとすることはできず、前記（い）の理由は採用できない。
　また、甲第３号証には、ポリウレタン弾性繊維不織布の片面に多数の細孔を有する感圧接着剤を付与して医用感圧接着性シートを製造することが記載されているものの、当該感圧接着剤として「スチレン系エラストマーを主成分とし、更にタッキファイヤー、軟化剤を含有する粘着性物質」が使用できることは示されておらず、前記感圧接着剤の付与にメルトブローを用いることも示されていない。そして、甲第６〜８号証には、各種高分子材料からメルトブローにより通気性のあるシートが得られることが示されているにすぎず、粘着性を示す「スチレン系エラストマーを主成分とし、更にタッキファイヤー、軟化剤を含有する粘着性物質」を用いて通気度の優れた層が形成できることを示す記載はない。したがって、甲第６〜８号証に記載を考慮しても、本件発明１が、甲第３号証に記載された発明であるとすることはできず、また、甲第３号証に記載された発明に基づいて当業者が容易に発明をすることができたものであるとすることはできないから、前記（う）の理由は採用できない。
　
（ＩＩＩ−５）むすび
　以上のとおりであるから、特許異議の申立ての理由および証拠によっては、本件発明１〜３に係る特許が拒絶の査定をしなければならない特許出願に対してされたものであるとすることはできない。
　また、他に本件発明１〜３に係る特許が拒絶の査定をしなければならない特許出願に対してされたものであるとする理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年７月１８日（２００３．７．１８）
【訂正の要旨】
審決（決定）の【理由】欄参照。
（５４）【発明の名称】
通気性粘着層の製造方法、粘着シート及び通気性素材
（５７）【特許請求の範囲】
　【請求項１】メルトブロー方式で、スチレン系エラストマーを主成分とし、更にタッキファイヤー、軟化剤を含有する粘着性物質を繊維化して０．１ｃｃ／ｃｍ２／秒以上の通気度を有する多孔性の粘着層を形成することを特徴とする通気性粘着層の製造方法。
　【請求項２】請求項１に記載の通気性粘着層を支持基材の片面又は両面に有することを特徴とする粘着シート。
　【請求項３】多孔性基材の片面又は両面に請求項１に記載の通気性粘着層を有することを特徴とする通気性素材。
【発明の詳細な説明】
　【０００１】
　【産業上の利用分野】
　本発明は、多孔性粘着層からなる通気性粘着層の製造方法、及びかかる粘着層を有する粘着シートと通気性素材に関する。
　【０００２】
　【従来の技術】
　従来、多孔性基材に粘着層を点在させて通気性を有する粘着素材を製造する方法が知られていた。しかしながら、粘着層の点在割合が少ないと接着力に乏しくなり、点在割合を多くすると通気性に乏しくなり接着力と通気性を両立させにくい問題点があった。
　【０００３】
　【発明が解決しようとする課題】
　本発明は、接着力と通気性を容易に両立させることができる通気性粘着層の製造方法を開発して、その粘着シートや通気性素材を得ることを課題とする。
　【０００４】
　【課題を解決するための手段】
　本発明は、メルトブロー方式で粘着性物質を繊維化して０．１ｃｃ／ｃｍ２／秒以上の通気度を有する多孔性の粘着層を形成することを特徴とする通気性粘着層の製造方法、及び多孔性の場合もある支持基材の片面又は両面に前記の通気性粘着層を有することを特徴とする粘着シート、ないし通気性素材を提供するものである。
　【０００５】
　【作用】
　粘着性物質を加熱溶融下に熱風を介し吹付け展開するメルトブロー方式により粘着性物質を容易に繊維化でき、粘着性物質を平均繊維径０．５〜５０μｍ程度で不織布状、ないし絡まり繊維状に堆積させることができ、支持基材の全面に設けた場合にも通気度が０．１ｃｃ／ｃｍ２／秒以上の多孔性の粘着層を容易に形成することができ、孔の微細性や均等分布性に優れて通気性や接着力の偏りが少なく平均性に優れている。
　【０００６】
　【実施例】
　本発明の製造方法は、メルトブロー方式で粘着性物質を繊維化して０．１ｃｃ／ｃｍ２／秒以上の通気度を有する多孔性の粘着層を形成して通気性粘着層を得るものである。図１にその製造工程を例示した。２が粘着性物質１を収容するダイス、５が支持基材、６が金網等からなる通気性コンベアである。
　【０００７】
　前記においては、チップ状や顆粒状等の通気可能な状態で粘着性物質１をダイス２に収容し、その粘着性物質１をダイス２を介し加熱して部分的に溶融させると共に、ダイス２の上方より矢印の如く熱風を吹込むことにより前記粘着性物質の溶融分がダイス孔２１より繊維状３で吹出され、それがコンベア６を介し順次移動する支持基材５上に展開されて不織布状の多孔構造を有する粘着層４が形成される。
　【０００８】
　なお仮想線で示した如く、支持基材５はコンベア６の後方より導入することもできる。この場合には、コンベア６上に多孔性の粘着層４が形成され、それがコンベア６により移送されて後方に位置する支持基材５上に移設される。なお７は、形成された粘着シート、ないし通気性素材の巻取ロールである。
　【０００９】
　本発明においては、前記に例示の方式のほか粘着性物質を繊維化できる適宜なメルトブロー方式を採用してよい。多孔性の粘着層を形成する繊維の平均繊維径について特に限定はないが、接着力と通気性のバランス等の点より０．５〜５０μｍ程度が一般的に好ましい。なお平均繊維径は、走査顕微鏡で多孔性の粘着層をランダムに写真を採り、その１０枚の写真より任意な１０点における繊維径を調べてそれらを平均したものである。
　【００１０】
　形成する通気性粘着層は、０．１ｃｃ／ｃｍ２／秒以上の通気度を有するものである。通気性粘着層の通気度は、形成繊維の平均繊維径や密度、粘着層の厚さなどにより制御でき、本発明においては接着力と通気性のバランス等に応じて適宜に決定してよいが、一般には１〜８０ｃｃ／ｃｍ２／秒の通気度を有するものとされる。なお通気性粘着層における接着力、ないし通気度は、メルトブロー方式で形成した多孔性の粘着層を圧縮するなどの事後方式によっても調節することができる。
　【００１１】
　従って通気性粘着層の厚さは、使用目的等に応じて適宜に決定してよいが、一般には１μｍ以上、就中５μｍ〜１ｍｍとされる。なお集塵や防臭等の種々の目的のフィルターを得る場合などには、１０ｍｍを超える厚さとされるときもある。
　【００１２】
　通気性粘着層の形成に用いる粘着性物質は、メルトブローに供しうるもの、すなわち例えばホットメルト型粘着剤の如く、常温で粘着性を示して加熱溶融できるものであればよい。
　【００１３】
　好ましく用いうる粘着性物質の例としては、ＳＩＳ、ＳＢＳ、ＳＥＢＳ、ＳＩＰＳの如きスチレン系エラストマー、アクリル酸やメタクリル酸等のアルキルエステルを成分とするアクリル系エラストマー、ポリエチレン、超低密度ポリエチレン、ポリプロピレン、エチレン・酢酸ビニル共重合体の如きオレフィン系エラストマー、ウレタン系エラストマー、などがあげられる。これらは単独で又は２種以上をブレンドして用いうる。
　【００１４】
　ちなみに、スチレン系エラストマーにオレフィン系エラストマーを加えることで、タックや強度を調節することができる。なお粘着性物質の調製に際しては、必要に応じタッキファイヤー、軟化剤、老化防止剤などの適宜な添加剤を配合することができる。
　【００１５】
　本発明による通気性粘着層は、通気性、繊維状の表面粗さ性、クッション性、メルトブロー時における臭気揮散による微臭性などの特長を有し、通気性接着や仮接着、緩衝性接着や微香性接着などの種々の目的の固定用途などに好ましく用いうる。より具体的には例えば、通気性傷テープの如き医療用途、集塵や防臭等のフィルター用途、ポストイットの如き再剥離用接着用途、通気性衣料用途、両面粘着テープや軽量化粘着テープの如き粘着シート用途などがあげられる。
　【００１６】
　本発明の粘着シートは、図２や図３に例示の如く上記の通気性粘着層４を支持基材５の片面又は両面に有するものである。また通気性素材は、かかる支持基材に多孔性のものを用いたものである。従って支持基材には任意なものを用いることができ、剥離剤で表面処理したセパレータなどを用いて通気性粘着層を適宜に移着できるものも形成することができる。なお粘着シートないし通気性素材において通気性粘着層は、支持基材の片面又は両面における一部に設けられていてもよい。
　【００１７】
　粘着シートないし通気性素材は適宜な方式で形成してよい。ちなみに支持基材の片面に通気性粘着層を有する粘着シートないし通気性素材は、例えば図１に例示の如き方法などにより得ることができる。支持基材の両面に通気性粘着層を有する粘着シートないし通気性素材は、例えば片面に通気性粘着層を設けた支持基材の他面に、セパレータ上に設けた通気性粘着層を移着する方式などにより得ることができる。なお片面に通気性粘着層を有するものの場合、他面に通気性でない粘着層を設けることもできる。得られた粘着シートないし通気性素材は、シート状やロール体などの適宜な形態で実用に供することができる。
　【００１８】
　一般に用いられる支持基材としては、ポリマー、金属箔、発泡体などがあげられる。また多孔性基材としては、紙、布、不織布ないしフェルト、連続発泡体、通気性ないし多孔性のシートなどがあげられる。
　【００１９】
　実施例１
　スチレン系エラストマー（ＳＩＳ）１００部（重量部、以下同じ）、石油系樹脂１００部、パラフィンオイル（軟化剤）５０部及び老化防止剤１部をニーダにて１６０℃で混練し、その混練物をチップ化してダイスに入れ図１に示した方法でセパレータ上に坪量１０ｇ／ｍ２の通気性粘着層を有する粘着シートを得た。その際、ダイス温度２００℃、熱風温度２１０℃、熱風圧力１．０〜２．０ｋｇ／ｃｍ２、コンベアによるライン速度３ｍ／分の条件とした。なお通気性粘着層を形成する多孔性粘着層における平均繊維径は、約２０μｍであった。
　【００２０】
　次に、前記の粘着シートをポリエチレンからなる通気性フィルム（日東電工社製）に圧着して通気性粘着層を移着し、通気性素材を得た。得られた通気性素材の通気度は、４６ｃｃ／ｃｍ２／秒であった。なお用いた通気性フィルム通気度は、４８ｃｃ／ｃｍ２／秒である。
　【００２１】
　次いで、前記の通気性素材における通気性粘着層の露出面に前記と同じ通気性フィルムを接着し、その通気度を調べたところ４２ｃｃ／ｃｍ２／秒であった。さらに、かかるサンドイッチ構造の素材における通気性フィルムの接着力（１８０度ピール、剥離速度３００ｍｍ／分）を測定したところ、通気性フィルムが破断して強い接着力を示した（測定不可）。
　【００２２】
　【発明の効果】
　本発明によれば、メルトブロー方式により粘着性物質が不織布状ないし絡まり繊維状に堆積した多孔性の粘着層からなる通気性粘着層を容易に形成することができる。また得られた通気性粘着層は、孔の微細性や均等分布性に優れて通気性と接着力のバランスに優れており、クッション性、メルトブローによる臭気揮散で微臭性などにも優れている。
【図面の簡単な説明】
　【図１】製造工程の説明図。
　【図２】粘着シートの実施例の断面図。
　【図３】粘着シートの他の実施例の断面図。
　【符号の説明】
　１：粘着性物質
　２：ダイス
　２１：ダイス孔
　３：繊維状吹出物
　４：多孔性の粘着層（通気性粘着層）
　５：支持基材（多孔性基材）
　６：通気性コンベア